(57)【要約】【課題】フィルタが目詰まり時に風向制御羽根の変動幅調整を行うことにより送風性能を確保する。【解決手段】熱交換器と、ファンと、空気通路の吸込口にフィルタと、前記吸込口に開閉自在に構成された前面パネルと、空気通路の吹出口４に上下または左右に変動する風向制御羽根１０を設けた室内ユニットを備えた空気調和装置であって、前記フィルタにほこりが詰まることを検知する目詰まり検知手段を設け、前記フィルタの目詰まり検知手段からの目詰まり検知信号に応じて前記風向制御羽根（上下羽根１０）の変動幅（Ｅ〜Ｇ）を制御することで、空気の吹き出し風量の低下を少なくし、フィルタが目詰まりして風量が減少することを補い、従来の風量を確保することができる。【選択図】図４
2010243101.tif 000002
【特許請求の範囲】
【請求項１】
熱交換器と、ファンと、空気通路の吸込口に設けたフィルタと、前記吸込口に開閉自在に構成された前面パネルと、空気通路の吹出口に上下または左右に変動する風向制御羽根を設けた室内ユニットを備えた空気調和装置であって、
前記フィルタにほこりが詰まることを検知する目詰まり検知手段を設け、前記フィルタの目詰まり検知手段からの目詰まり検知信号に応じて前記風向制御羽根の変動幅を制御することを特徴とする空気調和装置。
【請求項２】
フィルタに捕集された塵埃を自動で除去する塵埃除去手段をさらに備え、フィルタの目詰まり検知信号に応じて風向制御羽根の変動幅を制御するとともに、目詰まり検知信号がある所定のレベルに達すると、前記塵埃除去手段を駆動することを特徴とする請求項１に記載の空気調和装置。
【発明の詳細な説明】
【技術分野】
【０００１】
本発明は吸込口に開閉自在の前面パネルを設けた室内ユニットにおいて、前記フィルタの目詰まりにより、前記上下に変動する羽根の変動幅を制御する空気調和装置に関するものである。
【背景技術】
【０００２】
従来、この種の空気調和装置は、室内ユニットの下部に吹出しグリルを設け、吹出グリルの上部に空気吸込口を開閉する前面パネルを設け、室内ユニットに内蔵された開閉装置で前面パネルを前後に開閉する構成を持っていた。
【０００３】
図１は、室内ユニット１と室外ユニット２で構成されたセパレート型空気調和装置ならびに、図６は、その室内ユニット１の前面パネル開閉装置などを含めた側面図である。
【０００４】
この室内ユニット１内部には、空気を吸い込むために開閉装置６を使用してパネル７を開けて、熱交換器３により吸い込んだ空気と熱交換器３中の流体を熱交換し、熱交換された空気を吹出口４から排出するファン５などからなる。そして熱交換された空気を上下に変化する羽根１０にて空気を変化させる。室内ユニット１内部では、吸い込む空気をきれいにするために熱交換器３の吸い込み側にフィルタ８が設置されている。
【０００５】
以上のように空気調和装置の室内ユニット１に構成されたパネル７の開閉装置６について、以下その動作、作用を説明する。
【０００６】
室内ユニット１のパネル７は、空気調和装置の室内ユニット１が運転する場合、開閉装置６により開かれ、その後室内ユニット１付近の空気を吸引してフィルタ８、そして熱交換器３を通過し、吹出口４からファン５により排出される。そして、近年意匠性の高い室内ユニットを実現する為に、室内ユニット１のパネル７は、運転停止時に閉じることで意匠性の向上がはかられている。
【先行技術文献】
【特許文献】
【０００７】
【特許文献１】特開２００１−３２４１６１号公報
【発明の概要】
【発明が解決しようとする課題】
【０００８】
しかしながら、前記従来の構成による室内ユニットに内蔵された開閉装置で前面パネルを前後に開閉することにより風量を制御する室内ユニットは、空気を吸引してほこりなどを取るフィルタが目詰まりをおこすと、風量が低減し、本来の送風性能が確保できないという課題を有していた。
【０００９】
本発明は、前記従来の課題を解決するもので、開閉装置で前面パネルを前後に開閉する室内ユニットにおいて送風性能を確保することを目的とする。
【課題を解決するための手段】
【００１０】
前記従来の課題を解決するために、本発明の前面パネルを前後に開閉する機能を設けた室内ユニットにおいて、空気を吸引してほこりなどを取るフィルタが目詰まりをおこした場合、上下に変化させる羽根の変更幅を変化させる制御である。
【００１１】
これによって、フィルタが目詰まりした場合に、吹き出される空気の風量が大きく減少していたが、目詰まり時に上下に変化する羽根の変更幅を小さくすることにより風量の減少を小さくして、送風性能を確保することができるものである。
【発明の効果】
【００１２】
本発明の室内ユニットに内蔵された上下に変化する羽根の変更幅を変化させる制御は、フィルタが目詰まりした場合にも、送風性を確保することができる。
【図面の簡単な説明】
【００１３】
【図１】本発明の実施の形態１および従来における空気調和装置を示す図
【図２】本発明の実施の形態１における空気調和装置の室内ユニットを示す図
【図３】同実施の形態１における空気調和装置の室内ユニットの上下羽根の説明図
【図４】同実施の形態１における空気調和装置の室内ユニットの上下羽根の変更幅を示す図
【図５】同実施の形態１における空気調和装置の室内ユニットの上下羽根位置の制御図
【図６】従来の空気調和装置の室内ユニットを示す図
【発明を実施するための形態】
【００１４】
第１の発明は室内ユニットに内蔵された風向制御羽根の変更幅をフィルタの目詰まりによって変化させる制御、つまりフィルタが目詰まりした場合に羽根の変更幅を小さくすることにより、空気の吹き出し風量の低下を少なくする。これより、フィルタが目詰まりして風量が減少することを補い、従来の風量を確保することができる。
【００１５】
第２の発明は、特に第１の発明において、フィルタに捕集された塵埃を自動で除去する塵埃除去手段をさらに備え、フィルタの目詰まり検知信号に応じて上下羽根の変動幅を制御するとともに、目詰まり検知信号がある所定のレベルに達すると、前記塵埃除去手段を駆動するとしたものである。これによって、空気調和装置の風量を確保することができるとおともに、フィルタの目詰まりを効率的に防止することができる。
【００１６】
（実施の形態１）
図２は、本発明の第１の実施の形態における空気調和装置の室内ユニットの断面図を示している。
【００１７】
図２に示すように、本実施の形態の室内ユニットには開閉装置６でパネル７の開度を変化させる手段が設けられている。また、フィルタ８には目詰まりを検知する目詰まり検出装置９が設けられている。その他の構成は従来の形態と同じであるので説明を省略する。
【００１８】
図２のように構成された室内ユニット１が運転する場合は、パネルをＣからＤ方向にパネル７を開き、その後ファン５を運転させる。それに伴い、空気はＡ方向などの吸込口から吸入され、フィルタ８を通過して熱交換器３を通り、吹出口４からファン５によりＢ方向に吹き出される。また、前面パネルの下方に設けられた風向制御羽根で、上下に変化する上下羽根１０により吹き出された空気を変化させる。
【００１９】
図３は、上下羽根１０の説明図である。図中に示すように、室内ユニット１の吹出口４において上下に変動する上下羽根１０は、上面部分に位置する場合、また下面に位置する場合には、上下羽根１０がファン５からの風を遮る角度となるため風量が減少する。なお、図中で示す位置に上下羽根１０がある場合に最も風量が大きい。
【００２０】
図４、図５は、上下に変化する上下羽根１０の変更幅及び変更幅と位置制御（フィルタ
８の目詰まり量との関係）を示している。
【００２１】
図５に示すように、室内ユニット１が運転時（初期）は、目詰まり検知手段９からの検知信号のレベル（検知レベル）は低く、上下に変化する上下羽根１０の変動幅は最も大きい変動幅Ｅである。次にフィルタ８に取り付けられている目詰まり検知装置９により目詰まり検知量がＩ以上になると上下羽根の可動範囲は変動幅Ｆに変化し、さらに、フィルタ８が目詰まり検知量がＪ以上になると変動幅Ｇに減少する。そして、フィルタ８の目詰まり検知量がＫ以上になると変動幅Ｈとなる。つまり、目詰まり検知装置によりフィルタ８が目詰まりしていると判断すれば上下に変化する羽根１０の変動幅を少なくして、風量が少ない羽根位置での変化を行わない。つまり、室内ユニット１の風量低減を小さくして、フィルタ８の目詰まりが生じても、当初と同等レベルの風量を確保することが可能になる。これより、室内ユニットの風量低減が防止でき、空調性能を確保することができる。
【００２２】
また、空気中の塵埃を捕集するフィルタ８上に堆積した塵埃を自動で除去する塵埃除去装置（図示せず）を備えた場合において、上記した風向制御羽根の制御を行うとともに、目詰まり検知手段９により検出される目詰まり検知レベルがある所定のレベルに達する場合に当該塵埃除去手段を駆動する構成としても良い。この場合、風向制御羽根１０の変動幅を大きく取れるため、高い送風性能を確保できるとともに、フィルタの目詰まりを効率的に防止することができる。
【００２３】
なお、本実施の形態においては上下に変更する上下羽根１０について説明したが、左右に変更する羽根の場合も同様に考えることが出来るのはいうまでもない。
【産業上の利用可能性】
【００２４】
以上のように、本発明にかかる上下に変更する羽根の制御は、フィルタ目詰まり時に風量を確保することが可能となり、空気調和装置以外の用途にも適用できる。
【符号の説明】
【００２５】
１  室内ユニット
２  室外ユニット
３  熱交換器
４  吹出口
５  ファン
６  開閉装置
７  パネル
８  フィルタ
９  目詰まり検知装置
１０  上下羽根（風向制御羽根）
【図１】
2010243101.tif 000003
【図２】
2010243101.tif 000004
【図３】
2010243101.tif 000005
【図４】
2010243101.tif 000006
【図５】
2010243101.tif 000007
【図６】
2010243101.tif 000008